(57)【要約】【課題】本発明は、コックを回して流路が正しく繋がる直前に、円筒部と中空軸部との間に気泡の入るような隙間ができず、的確な位置決め感が得られるようにした医療用栓体を提供する。【解決手段】本発明に係る医療用栓体は、外周に分岐管２を有する円筒部３と、該円筒部３に回動可能に嵌合し、分岐管２同士の接続路５を有し、一端側にコック６を設けた中空軸部４とからなり、前記中空軸部４の他端側端縁に、前記円筒部３の内面の対応位置に設けた突部１０に係合できる割溝９を設けたことを特徴とし、コックとともに軸部を回して分岐管同士を正しく繋いだときにも、円筒部と軸部との間に気泡の入るような大きな隙間を作らせない状態にて位置決め感が伝わるように構成した。また、前記割溝９が、前記中空軸部の他端側端縁に直径方向に２個設け、中空軸部４の他端側端縁を小径側に圧縮し易くしている。【選択図】図１
2012183099.tif 000002
【特許請求の範囲】
【請求項１】
外周に分岐管を有する円筒部と、該円筒部に回動可能に嵌合し、分岐管同士の接続路を有し、一端側にコックを設けた中空軸部とからなり、前記中空軸部の他端側端縁に、前記円筒部の内面の対応位置に設けた突起に係合できる割溝を設けたことを特徴とする医療用栓体。
【請求項２】
前記割溝が、前記中空軸部の他端側端縁に直径方向に２個設けたことを特徴とする請求項１に記載の医療用栓体。
【発明の詳細な説明】
【技術分野】
【０００１】
本発明は、薬液や血液瓶（袋）と人体とを結ぶチューブの途中に設ける三方活栓或いは二方活栓からなる医療用栓体に関するものである。
【背景技術】
【０００２】
たとえば、薬液や血液を人体に注入する通路を切り換えるために三方活栓（二方活栓もある）が必要となる。三方活栓の切り換えは、多くの場合、コックを回動操作して行われるが、接続路が正しく繋がっているかはコックの向きや目印により目視で確認できる。この目視での確認は重要であるが、接続路が正しく繋がったときにコックを握る手指にカチッと位置決め感が感触として伝わるとより確認しやすくなる。
【０００３】
上記の感触を受けうる手段として代表的なものに、特開２０００−３５０７８７号公報がある。これは図５及び図６の如く、外周に分岐管５１を有する円筒部５２の内面に、環状に平部５３と凹部５４を多角形（８角形）状に設け、該円筒部５２内に嵌合させたコック５５を有する軸部５６に凸子５７を設け、該軸部５６をコック５５とともに回すと、凸子５７が円筒部５２に設けた平部（凹部に対して凸部となる）５３を乗り越えて凹部５４に係合したときに、前記分岐管５１同士を流路５８にて接続（ＯＦＦになる個所もある）した。しかして、前記軸部５６の凸子５７が平部５３を乗り越えて凹部５４に係合したときには、コックを握る手指にカチッと位置決め感が感触として伝わるようになっていた。
【特許文献１】特開２０００−３５０７８７号公報
【発明の開示】
【発明が解決しようとする課題】
【０００４】
しかしながら、上記特開２０００−３５０７８７号公報のものは、凹部５４にあった軸部５６の凸子５７が平部５３を乗り越えて再び凹部５４に係合する直前、すなわち、凸子５７が平部５３に重なったときに、円筒部５２と軸部５６との間に大きな隙間ができて気泡が入るという問題があった。
本発明は、上記の課題を解決するためのもので、目的とするところは、コックを回して流路が正しく繋がる直前に、円筒部と中空軸部との間に大きな隙間ができず、気泡の入る余地がないばかりでなく、的確な位置決め感が得られるようにした医療用栓体を提供することにある。
【課題を解決するための手段】
【０００５】
上記目的を達成するため、本発明に係る医療用栓体は、外周に分岐管を有する円筒部と、該円筒部に回動可能に嵌合し、分岐管同士の接続路を有し、一端側にコックを設けた中空軸部とからなり、前記中空軸部の他端側端縁に、前記円筒部の内面の対応位置に設けた突起に係合できる割溝を設けたことを特徴とし、コックとともに軸部を回して分岐管同士を正しく繋いだときにも、円筒部と軸部との間に気泡の入るような大きな隙間を作らせない状態にて位置決め感が的確に伝わるように構成した。
【０００６】
また、請求項２に係る医療用栓体は、前記割溝が、前記中空軸部の他端側端縁に直径方向に２個設けたことを特徴とし、前記中空軸部の他端側端縁を円筒部の一端側から挿入してアンダーカット溝を、円筒部の内面に形成した環状突条を乗り越えて嵌合させるに際して小径側に圧縮でき易くなるように構成した。
【発明の効果】
【０００７】
本発明によれば、コックとともに中空軸部を回して分岐管同士を正しく繋ぐ直前に突起同士が重なるようなことがなく、中空軸部の割溝が円筒部の対応位置にある突起に係合するだけであるので、円筒部と軸部との間に大きな隙間ができて気泡が入るようなことがない。しかも、割溝と突起が係合したときは、コックを握る手指にカチッと位置決め感が感触として的確に伝わるという優れた効果を奏するものである。
【０００８】
また、請求項２によれば、前記中空軸部の他端側端縁を、前記円筒部の一端側から挿入してアンダーカット溝を、円筒部の内面に形成した環状突条を乗り越えて嵌合させるに際して、前記中空軸部の他端側端縁に、直径方向の２個の割溝があると、小径方向に絞られるので、環状突条を乗り越えて嵌合し易くなる。しかも、絞り込みが解除されると円筒部内面に良く密着することとなり、コックを握る手指に位置決め感を伝え易くなるという優れた効果を奏するものである。
【発明を実施するための最良の形態】
【０００９】
次に、本発明の実施の態様について図面を参照して説明する。図１は本願栓体の円筒部と中空軸部とを分解した場合の略示的斜視図、図２は本願栓体の分解した断面図で、（ａ）は中空軸部、（ｂ）は円筒部、図３は本願栓体の要部断面図、図４は本願栓体の使用状態を示す略示的斜視図である。
【００１０】
本願栓体１は、外周に分岐管２を３カ所設けた円筒部３と、該円筒部３の一端側（上端側）から嵌合した回動可能な中空軸部４とからなる。該中空軸部４の外周には、前記円筒部３の外周に設けた分岐管同士の接続路５がほぼＴ字状に設けられているとともに、該中空軸部４の一端側には手指で握るコック６が設けられている。これら円筒部３と中空軸部４は、それぞれプラスチック材料により成型されているが、人体に対して有害物が溶出する虞のある材料は避けられることとなる。
【００１１】
前記円筒部３の一端側から嵌合した中空軸部４は、図２（ａ）の如く、その他端側（下端側）外周に設けた環状アンダーカット溝７が設けられ、また、図２（ｂ）の如く、前記円筒部３の他端側（下端側）内周には環状突条８が設けられている。すなわち、円筒部３の一端側から中空軸部４を挿入し、その他端側外周に設けた環状アンダーカット溝７を、前記円筒部３の他端側内周に設けた環状突条８を嵌合させる。この場合、前記円筒部３の他端側内周に設けた環状突条８の上側に傾斜面８′を設けておき、前記中空軸部４を強く押し込むと、前記傾斜面８′により中空軸部４の他端側のエッジが強制的に小径方向に圧縮されて環状突条８を一気に乗り越えて嵌合する。嵌合後は、互いに抜け出さない状態で円周方向に回動可能に結合されることとなる。
【００１２】
前記中空軸部４の他端側端縁には割溝９が設けられている。該割溝９は、コック６を手指で握って中空軸部４を回していくと、前記円筒部３の他端側内周に設けた突部１０に、図３の如く、係合する。この係合時には、中空軸部４に設けた接続路５の作用で前記分岐管２の任意の２個が繋がるようになっている。この繋がりはコック６の上面に設けたマーク１１により目視でも確認できるが、コック６を握る手指に位置決め感が的確に伝わることとなる。なお、割溝９と突部１０との係合は、その係合直前に、突部同士が重なって、円筒部と軸部との間に大きな隙間ができるようなことが皆無であり、気泡の入る余地が全くないものである。
【００１３】
前記割溝９は、前記中空軸部４の他端側端縁に直径方向に２個設けてもよい。かかる場合には、割溝９が１個の場合に比し、溝幅が倍になり、バネ性が高まるため、中空軸部４を円筒部３内に強く押し込んだときに、小径方向への絞り込みが大きくなり、前記環状突部８の乗り越えがよりし易くなる。一方、乗り越えた後には、中空軸部４の他端側が、拡大するため前記円筒部３の他端側内周に良く密着し、突部１０との係合時に、手指に伝えられる位置決め感がより的確になる。
【００１４】
次に、本願栓体１の作用を、三方活栓を例にして説明する。まず、本願栓体１は、図４の如く、円筒部３のそれぞれの分岐管２に、チューブ１２ａ、１２ｂ、１２ｃを接続し、このうち、前記チューブ１２ａを人体側（図示せず）に接続するとともに、他のチューブ１２ｂ、１２ｃを図示していない第１及び第２薬液源（瓶又は袋）に接続する。
【００１５】
次いで、チューブ１２ｂからチューブ１２ａへ接続するために、コック５を手指で握って、実線矢印の如く、右方向に回動させ、該コック５を一点鎖線の如く、チューブ１２ｂと平行になる位置にすると、中空軸部４の他端側の割溝９が円筒部３の他端側内周の対応位置に設けた突部１０に係合し、該係合時の位置決め感が手指に的確に伝えられる。しかして、前記チューブ１２ｂとチューブ１２ａとが導通するに至り、第１の薬液源から所望の薬液が人体に注入されることとなる。
【００１６】
さらに、チューブ１２ｃからチューブ１２ａへ接続させるには、コック６を手指で握り、該コック５がチューブ１２ｃと平行になる位置（実線の位置）にする。この位置において、中空軸部４の他端側の割溝９が円筒部３の他端側内周に設けた突部１０に係合し、該係合時に位置決め感が手指に的確に伝えられる。この場合において、前記チューブ１２ｃとチューブ１２ａとが導通するに至り、第１の薬液源から切り替わって、第２の薬液源から所望の薬液が人体に注入されることとなる。
【００１７】
このように、薬液や血液を人体に注入する通路を、コックを回動操作して正しく繋げたことを  コックの向きや目印により目視で確認するほか、所望する接続路が正しく繋がったときにコックを握る手指にカチッと位置決め感が感触として的確に伝わるようにすると、より確認しやすくなるし、割溝９と突部１０との係合直前には、突部同士が重なることがないので、円筒部と軸部との間に大きな隙間ができるようなことが皆無であって、気泡の入る余地が全くないものである。
【産業上の利用可能性】
【００１８】
本願栓体は、薬液や血液を人体に注入する通路を切り換えるための三方活栓或いは二方活栓であり、この切り換えはコックを回動操作して行い、通路が正しく繋がったときにはコックを握る手指にカチッと位置決め感が感触として的確に伝わるようにしたものであって、医療業界において広く使われるから、産業上の利用可能性は高いものである。
【図面の簡単な説明】
【００１９】
【図１】本願栓体の円筒部と軸部とを分解した場合の略示的斜視図である。
【図２】本願栓体の本願栓体の分解した断面図で、（ａ）は中空軸部、（ｂ）は円筒部である。
【図３】本願栓体の要部断面図である。
【図４】本願栓体の使用状態を示す略示的斜視図である。
【図５】従来栓体の円筒部と軸部とを分解した場合の略示的斜視図である。
【図６】従来栓体の要部の断面図である。
【符号の説明】
【００２０】
１  本願栓体
２  分岐管
３  円筒部
４  中空軸部
５  接続路
６  コック
７  環状のアンダーカット溝
８  環状突部
８′  傾斜面
９  割溝
１０  突部
１１  マーク
１２ａ、１２ｂ、１２ｃ  管路
【図１】
2012183099.tif 000003
【図２】
2012183099.tif 000004
【図３】
2012183099.tif 000005
【図４】
2012183099.tif 000006
【図５】
2012183099.tif 000007
【図６】
2012183099.tif 000008